(57)【要約】【課題】高温高湿環境下で長期に亘って使用される場合でも、コネクタハウジング相互の接続や離脱の際に曲げ荷重が作用するロックアームが材料の劣化によって破損することを抑止することができ、長期に亘って、良好に使用することができるコネクタを提供すること。【解決手段】第２コネクタハウジング８の筒状部８２の外周に嵌合する略筒状のフード部５２と、自由端側が筒状部８２の表面と直交する方向に撓み変位可能に端子収容部５１に一体に形成されたロックアーム５３と、を備える第１コネクタハウジング５と、筒状部８２とフード部５２との嵌合長が所定値に達したときにロックアーム５３と係合するロック突起８３が筒状部８２の外表面に突設された第２コネクタハウジング８と、を備えるコネクタ４において、第１コネクタハウジング５は、耐加水分解性材料で形成される。【選択図】図１
2015195126.tif 000002
【特許請求の範囲】
【請求項１】
接続相手のコネクタハウジングの筒状部の外周に嵌合する略筒状のフード部と、端子金具を収容する端子収容部と、自由端側が前記筒状部の表面と直交する方向に撓み変位可能に前記端子収容部に一体に形成されたロックアームと、を有する第１コネクタハウジングと、
前記筒状部と、前記筒状部の外表面に突設されて前記筒状部と前記端子収容部との嵌合長が所定値に達したときに前記ロックアームと係合するロック突起と、を有する第２コネクタハウジングと、
を備えるコネクタであって、
前記第１コネクタハウジングは、耐加水分解性材料で形成されたことを特徴とするコネクタ。
【請求項２】
前記端子収容部から立ち上がる前記ロックアームの基端部を、曲げ荷重が集中し難い滑らかな湾曲形状にしたことを特徴とする請求項１に記載のコネクタ。
【請求項３】
前記ロックアームは、前記基端部の先端からコネクタハウジング相互の嵌合方向に延出した平板状の板ばね部と、前記ロック突起が係合する係合孔を有して前記板ばね部の先端に装備された突起係合部と、を備え、
前記突起係合部は、前記板ばね部よりも肉厚に形成されたことを特徴とする請求項２に記載のコネクタ。
【発明の詳細な説明】
【技術分野】
【０００１】
本発明は、第１コネクタハウジングのロックアームと第２コネクタハウジングのロック突起との係合によってコネクタハウジング相互の嵌合状態をロックするコネクタに関する。
【背景技術】
【０００２】
図６〜図９は、下記特許文献１に開示されたコネクタを示している。
このコネクタ１００は、図６に示すように、第１コネクタハウジング１１０と、第２コネクタハウジング１２０と、を備えている。
【０００３】
第１コネクタハウジング１１０は、接続相手となる第２コネクタハウジング１２０の筒状部１２１の外周に嵌合する略筒状のフード部１１１と、第１コネクタハウジング１１０に一体に形成されたロックアーム１１２と、を備える。
【０００４】
ロックアーム１１２は、第１コネクタハウジング１１０の基端（図６では、右端）寄りの位置から立ち上がる起立部１１３と、この起立部１１３の先端からフード部１１１の前端側に延出したアーム本体１１４と、を備えている。アーム本体１１４は、その先端１１４ａが自由端となっている。アーム本体１１４は、図８に示すように、第１コネクタハウジング１１０と第２コネクタハウジング１２０とが嵌合するときに、先端１１４ａ側が後述する筒状部１２１の表面と略直交する方向（図６の矢印Ｘ１方向で、図８では矢印Ｒ１方向）に撓み変位して、第２コネクタハウジング１２０のロック突起１２２の移動を許容する。
【０００５】
また、アーム本体１１４は、自由端寄りの位置に、後述する第２コネクタハウジング１２０のロック突起１２２と係合する窪み１１４ｂを備えている。
【０００６】
ロックアーム１１２には、解除用アーム１１５が一体形成されている。この解除用アーム１１５は、ロックアーム１１２の先端１１４ａの両端部から第１コネクタハウジング１１０の基端側に延出した腕部１１５ａと、この一対の腕部１１５ａの先端同士を結合した操作部１１５ｂと、を備えている。
【０００７】
解除用アーム１１５は、図９に示すように、操作部１１５ｂを矢印Ｚ１方向に押下すると、それに伴う腕部１１５ａの揺動によって、腕部１１５ａの基端に繋がっているロックアーム１１２の先端１１４ａが矢印Ｒ１方向に変位する。従って、解除用アーム１１５の操作部１１５ｂを押下することで、ロックアーム１１２とロック突起１２２との係合を解除し、コネクタハウジング相互を離脱させることが可能になる。
【０００８】
第２コネクタハウジング１２０は、外周に前述のフード部１１１が嵌合する筒状部１２１と、この筒状部１２１の外表面に突設されたロック突起１２２と、を備えている。ロック突起１２２は、図９に示すように、筒状部１２１とフード部１１１との嵌合長が所定値に達したときに、ロックアーム１１２と係合して、第１コネクタハウジング１１０と第２コネクタハウジング１２０との嵌合状態をロックする。
【先行技術文献】
【特許文献】
【０００９】
【特許文献１】特開２００１−２５０６３６号公報
【発明の概要】
【発明が解決しようとする課題】
【００１０】
ところで、特許文献１のコネクタ１００を構成している第１コネクタハウジング１１０や第２コネクタハウジング１２０は、通常、ＰＢＴ（ポリブチレンテレフタレート樹脂）などの合成樹脂の射出成形により一体形成される。
【００１１】
しかし、ＰＢＴで形成された第１コネクタハウジング１１０や第２コネクタハウジング１２０は、例えば、車両のエンジンルーム等の高温高湿環境下で長期に亘って使用されると、ＰＢＴの加水分解による劣化によって機械的強度が低下するおそれがある。
【００１２】
そのため、コネクタハウジング相互の接続や離脱を繰り返すと、コネクタハウジング相互の接続や離脱の際に曲げ荷重が作用するロックアームが材料の劣化によって破損してしまうおそれがあった。
【００１３】
そこで、本発明の目的は、上記課題を解消することに係り、高温高湿環境下で長期に亘って使用される場合でも、コネクタハウジング相互の接続や離脱の際に曲げ荷重が作用するロックアームが材料の劣化によって破損することを抑止することができ、長期に亘って、良好に使用することができるコネクタを提供することにある。
【課題を解決するための手段】
【００１４】
本発明の前述した目的は、下記の構成により達成される。
（１）  接続相手のコネクタハウジングの筒状部の外周に嵌合する略筒状のフード部と、端子金具を収容する端子収容部と、自由端側が前記筒状部の表面と直交する方向に撓み変位可能に前記端子収容部に一体に形成されたロックアームと、を有する第１コネクタハウジングと、
前記筒状部と、前記筒状部の外表面に突設されて前記筒状部と前記端子収容部との嵌合長が所定値に達したときに前記ロックアームと係合するロック突起と、を有する第２コネクタハウジングと、
を備えるコネクタであって、
前記第１コネクタハウジングは、耐加水分解性材料で形成されたことを特徴とするコネクタ。
【００１５】
（２）  前記端子収容部から立ち上がる前記ロックアームの基端部を、曲げ荷重が集中し難い滑らかな湾曲形状にしたことを特徴とする上記（２）に記載のコネクタ。
【００１６】
（３）  前記ロックアームは、前記基端部の先端からコネクタハウジング相互の嵌合方向に延出した平板状の板ばね部と、前記ロック突起が係合する係合孔を有して前記板ばね部の先端に装備された突起係合部と、を備え、
前記突起係合部は、前記板ばね部よりも肉厚に形成されたことを特徴とする上記（２）に記載のコネクタ。
【００１７】
上記（１）の構成によれば、耐加水分解性材料で形成された第１コネクタハウジングは、エンジンルーム等の高温高湿環境下で長期に亘って使用される場合でも、材料特性の劣化が発生し難く、コネクタハウジング相互の接続・離脱を繰り返した場合でも、曲げ荷重が作用するロックアームが材料の劣化によって破損することを抑止することができ、長期に亘って、良好に使用することができる。
【００１８】
上記（２）の構成によれば、端子収容部から立ち上がるロックアームの基端部が、曲げ荷重が集中し難い滑らかな湾曲形状である。そのため、ロックアームが第２コネクタハウジングのロック突起との係合又は離脱のために撓み変形する際に、曲げ荷重がロックアームの基端部の一部に集中作用することを防止して、ロックアームの耐久性を向上させることができる。
【００１９】
上記（３）の構成によれば、ロックアームの突起係合部は、ロック突起が係合する係合孔を形成することで強度的に不利になるが、突起係合部を板ばね部よりも肉厚に形成したことで、突起係合部の強度を向上させることができ、ロックアームの突起係合部の強度が板ばね部よりも低下することを防止して、ロックアームの耐久性を向上させることができる。
【発明の効果】
【００２０】
本発明によるコネクタによれば、高温高湿環境下で長期に亘って使用される場合でも、コネクタハウジング相互の接続や離脱の際に曲げ荷重が作用するロックアームが材料の劣化によって破損することを抑止することができ、長期に亘って、良好に使用することができる。
【００２１】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明に係るコネクタの一実施形態の分解斜視図である。
【図２】図２は図１に示した第１コネクタハウジングにおけるロックアーム拡大斜視図である。
【図３】図３は図２のＢ矢視図である。
【図４】図４は図２に示したロックアームのＤ−Ｄ断面図である。
【図５】図５は図１に示したコネクタの縦断面図である。
【図６】図６は従来のコネクタの要部の縦断面図である。
【図７】図７は図６に示した第１コネクタハウジングのロックアームの拡大斜視図である。
【図８】図８は図６に示した第１コネクタハウジングと第２コネクタハウジングとの嵌合途中の状態を示す縦断面図である。
【図９】図９は図６に示した第１コネクタハウジングと第２コネクタハウジングとの嵌合が完了した状態の縦断面図である。
【発明を実施するための形態】
【００２３】
以下、本発明に係るコネクタの好適な実施形態について、図面を参照して詳細に説明する。
【００２４】
図１〜図５は本発明に係るコネクタの一実施形態を示したもので、図１は本発明に係るコネクタの一実施形態の分解斜視図、図２は図１に示した第１コネクタハウジングにおけるロックアーム拡大斜視図、図３は図２のＢ矢視図、図４は図２に示したロックアームのＤ−Ｄ断面図、図５は図１に示したコネクタの縦断面図である。
【００２５】
この一実施形態のコネクタ４は、防水コネクタで、図１に示すように、第１コネクタハウジング５と、後述する第１コネクタハウジング５の端子収容部５１に嵌合装着される筒状のパッキン６と、第１コネクタハウジング５の一側面から第１コネクタハウジング５内に挿入されるリテーナ７と、第１コネクタハウジング５の接続相手となる第２コネクタハウジング８と、を備えている。
【００２６】
第１コネクタハウジング５は、耐加水分解性の樹脂材料で一体形成したもので、不図示の第１の端子金具を収容する端子収容部５１と、該端子収容部５１の周囲を囲う筒状構造に形成されたフード部５２と、端子収容部５１に一体に形成されたロックアーム５３と、を備えている。
【００２７】
この第１コネクタハウジング５を形成する耐加水分解性の樹脂材料としては、例えば、ＰＢＴ−ＧＦ１５を使用することができる。ＰＢＴ−ＧＦ１５は、ＰＢＴ（ポリブチレンテレフタレート樹脂）を１５％の分量のガラス繊維の添加により、耐加水分解性を強化したものである。なお、設計的には、成形による材料の許容歪みが３％以下であり、本実施形態では、許容歪みが２．５％以下の設計となっており、許容歪みが２．５％を超える応力が集中する部分がない。
【００２８】
端子収容部５１は、第２コネクタハウジング８との嵌合方向（図１における矢印Ｘ２方向）に沿って延在する略柱状に形成された部位である。
【００２９】
フード部５２は、図１に示すように、端子収容部５１の周囲に、後述する第２コネクタハウジング８の筒状部８２が嵌合する隙間５４を画成している。このフード部５２は、隙間５４に嵌合する第２コネクタハウジング８の筒状部８２の外周に嵌合する。本実施形態のフード部５２は、図１に示すように、後述する第２コネクタハウジング８の水平ガイドリブ８４が摺動可能に嵌合する水平ガイド溝５２１と、後述する第２コネクタハウジング８の垂直ガイドリブ８５が摺動可能に嵌合する垂直ガイド溝５２２と、を備えている。
【００３０】
フード部５２に装備された水平ガイド溝５２１及び垂直ガイド溝５２２は、第１コネクタハウジング５と第２コネクタハウジング８との嵌合操作時に、後述する第２コネクタハウジング８の水平ガイドリブ８４及び垂直ガイドリブ８５が嵌合することで、両者の移動方向を規制して一方のコネクタハウジングが傾くことを防止し、拗じりの発生を防止する。
【００３１】
本実施形態の第１コネクタハウジング５では、図１に示すように、フード部５２の一側面５２３に、リテーナ挿入口５２４が貫通形成されている。リテーナ挿入口５２４は、リテーナ７を挿入するための開口で、端子収容部５１のリテーナ挿通部（図示せず）と対向する位置に設けられている。そのため、リテーナ挿入口５２４に挿入したリテーナ７のハウジング係止アーム７１、仮係止用ランス７３、及び端子ロック部（図示せず）を、リテーナ挿通部に挿通させることができる。
【００３２】
リテーナ７は、図１に示すように、第１コネクタハウジング５の一側面に開口するリテーナ挿入口５２４から、第１コネクタハウジング５内に、コネクタ幅方向に沿って挿入される。図１の矢印Ｙ３は、リテーナ７の挿入方向を示している。
【００３３】
リテーナ７は、第１コネクタハウジング５内に挿入された際に、端子金具を挿入可能な仮係止位置、及び挿入された端子金具を抜け止めする本係止位置にそれぞれ位置決めされる。
【００３４】
ロックアーム５３は、図５に示すように第２コネクタハウジング８の筒状部８２と端子収容部５１との嵌合長が所定値に達して、第１コネクタハウジング５と第２コネクタハウジング８との嵌合が完了したときに、第２コネクタハウジング８上のロック突起８３と係合して、第１コネクタハウジング５と第２コネクタハウジング８との嵌合状態をロックする。
【００３５】
本実施形態のロックアーム５３は、フード部５２の内側に第２コネクタハウジング８の筒状部８２が嵌合するとき、自由端側が第２コネクタハウジング８の筒状部８２の表面と直交する方向に撓み変位可能に、端子収容部５１に一体に形成されている。
【００３６】
具体的には、このロックアーム５３は、図２〜図４に示すように、端子収容部５１から立ち上がる基端部５３１と、基端部５３１の先端（上端）からコネクタハウジング相互の嵌合方向Ｘ２に沿って第１コネクタハウジング５の前端側（第２コネクタハウジング８側）に延出した略平板状の板ばね部５３２と、自由端となる板ばね部５３２の先端に装備されて第２コネクタハウジング８上のロック突起８３が係合する突起係合部５３３と、この突起係合部５３３の両側から第１コネクタハウジング５の後端側に延出した一対の連結アーム部５３４と、これらの一対の連結アーム部５３４の後端部を連結した操作部５３５と、連結アーム部５３４の側面に突設されたストッパ５３６と、を備えている。連結アーム部５３４の下方には隙間が確保されている。
【００３７】
突起係合部５３３は、図２及び図４に示すように、第２コネクタハウジング８上のロック突起８３が係合する係合孔５３３ａを有している。
【００３８】
本実施形態のロックアーム５３の場合、第１コネクタハウジング５と第２コネクタハウジング８との嵌合途中では、板ばね部５３２が板厚と直交する矢印Ｚ２方向（図４参照）に撓み変形することで、第２コネクタハウジング８のロック突起８３が突起係合部５３３の下に潜り込む。そして、第１コネクタハウジング５と第２コネクタハウジング８との嵌合が完了するときには、板ばね部５３２の復元力で突起係合部５３３の位置が撓み変形前の初期位置に復帰する。これにより、図５に示したように係合孔５３３ａに第２コネクタハウジング８のロック突起８３が係合して、第１コネクタハウジング５と第２コネクタハウジング８との結合がロックされる。
【００３９】
操作部５３５の押下に伴う連結アーム部５３４の揺動によって、連結アーム部５３４の前端に連なる突起係合部５３３が矢印Ｚ２方向（図４参照）に上昇すると、突起係合部５３３とロック突起８３との係合が解除され、第１コネクタハウジング５と第２コネクタハウジング８の結合を解除することが可能になる。
【００４０】
連結アーム部５３４上のストッパ５３６は、第１コネクタハウジング５の不図示の干渉部と当接可能であり、操作部５３５側に矢印Ｚ１方向と反対の方向の力が加わった場合に、連結アーム部５３４が過大に変位して破損するのを防止する部位である。
【００４１】
本実施形態のロックアーム５３では、端子収容部５１から立ち上がる基端部５３１を、曲げ荷重が集中し難い滑らかな湾曲形状にしている。そのため、コネクタハウジング相互の嵌合途中、又は操作部５３５の押下時において、板ばね部５３２が撓み変形するとき、剪断応力が基端部５３１に集中することがなく、板ばね部５３２上の広い範囲に剪断応力を分散させることができる。図４において一点鎖線で示した板ばね部５３２上の領域Ｌ１は、板ばね部５３２の撓み変形時に剪断応力が分散して作用する領域を示している。
【００４２】
また、本実施形態の場合、図４に示すように、ロックアーム５３の突起係合部５３３の厚さ寸法ｔ１は、板ばね部５３２の厚さ寸法ｔ２よりも大きく設定されている。即ち、突起係合部５３３は、板ばね部５３２よりも肉厚に形成されている。
【００４３】
パッキン６は、第１コネクタハウジング５の端子収容部５１に外嵌する筒状で、適度な弾性を備えた合成ゴム又は天然ゴムにより一体成形される。
【００４４】
このパッキン６は、図５に示すように、内周面６１が端子収容部５１の外周面に密着する平滑面になっている。また、パッキン６は、外周面６２に、第２コネクタハウジング８筒状部８２の内周に密着する２本の環状突起（リップ部）６２１が装備されている。このパッキン６は、図５に示すように、内周面６１を端子収容部５１の外周面に密着させ、外周面６２の環状突起６２１を筒状部８２の内周面に密着させることで、ハウジング内部の防水性を確保する。
【００４５】
第２コネクタハウジング８は、装置等の筐体９に固定装備されるハウジングである。また、この第２コネクタハウジング８は、例えば、ＰＢＴ（ポリブチレンテレフタレート樹脂）にガラス繊維の添加によって強度を向上させた樹脂の一体成形品で、図１に示すように、第２の端子金具の先端部が突出する端子配列空間８１と、筒状部８２と、ロック突起８３と、水平ガイドリブ８４と、垂直ガイドリブ８５と、を備えている。
【００４６】
なお、第２コネクタハウジング８は、第１コネクタハウジング５のロックアーム５３のように撓み変形する部位が無いため、第１コネクタハウジング５よりも強度の低い材料を使用することも可能である。
【００４７】
端子配列空間８１は、端子収容部５１内の第１の端子金具に嵌合させる第２の端子金具（図示せず）の先端部が突出する空間である。
【００４８】
筒状部８２は、端子配列空間８１の周囲を囲う筒状で、端子配列空間８１を画成している。この筒状部８２は、第１コネクタハウジング５の隙間５４に挿入されて、端子収容部５１の外周に嵌合する。このとき、筒状部８２は、フード部５２の内周に嵌合した状態になっている。端子収容部５１に外嵌した筒状部８２の内周面には、図５に示すように、パッキン６の環状突起６２１が密着し、筒状部８２と端子収容部５１との間の隙間が密封される。
【００４９】
ロック突起８３は、筒状部８２の外表面に突設された突起である。このロック突起８３は、筒状部８２と端子収容部５１との嵌合長が所定値に達したときに、図５に示したように、ロックアーム５３と係合して、第１コネクタハウジング５と第２コネクタハウジング８との結合状態をロックする。
【００５０】
水平ガイドリブ８４は、第１コネクタハウジング５と第２コネクタハウジング８との嵌合時に、第１コネクタハウジング５の水平ガイド溝５２１と摺動可能に係合し、ハウジング相互間に傾きが生じることを防止する。
【００５１】
垂直ガイドリブ８５は、第１コネクタハウジング５と第２コネクタハウジング８との嵌合時に、第１コネクタハウジング５の垂直ガイド溝５２２と摺動可能に係合し、ハウジング相互間に傾きが生じることを防止する。
【００５２】
即ち、本実施形態の第１コネクタハウジング５と第２コネクタハウジング８は、第１コネクタハウジング５に装備された水平ガイド溝５２１及び垂直ガイド溝５２２に、第２コネクタハウジング８の水平ガイドリブ８４と垂直ガイドリブ８５が係合することで、コネクタハウジング相互の移動方向を、嵌合方向から傾きが生じないように規制する。
【００５３】
以上に説明した一実施形態のコネクタ４の構成の場合、耐加水分解性材料で形成された第１コネクタハウジング５は、エンジンルーム等の高温高湿環境下で長期に亘って使用される場合でも、材料特性の劣化が発生し難い。そのため、コネクタハウジング相互の接続・離脱を繰り返した場合でも、曲げ荷重が作用するロックアーム５３が材料の劣化によって破損することを抑止することができ、長期に亘って、良好に使用することができる。
【００５４】
また、一実施形態のコネクタ４の構成の場合、端子収容部５１から立ち上がるロックアーム５３の基端部５３１が、曲げ荷重が集中し難い滑らかな湾曲形状である。そのため、ロックアーム５３が第２コネクタハウジング８のロック突起８３との係合又は離脱のために撓み変形する際に、曲げ荷重がロックアーム５３の基端部５３１の一部に集中作用することを防止して、ロックアーム５３の耐久性を向上させることができる。
【００５５】
また、一実施形態のコネクタ４の構成の場合、ロックアーム５３の突起係合部５３３は、ロック突起８３が係合する係合孔５３３ａを形成することで強度的に不利になる。しかし、突起係合部５３３を板ばね部５３２よりも肉厚に形成したことで、突起係合部５３３の強度を向上させることができる。それにより、ロックアーム５３の突起係合部５３３の強度が板ばね部５３２よりも低下することを防止して、ロックアーム５３の耐久性を向上させることができる。
【００５６】
また、一実施形態のコネクタ４の構成の場合、連結アーム部５３４の下方に隙間が確保されているので、操作部５３５に多少の力が加わっても、突起係合部５３３は持ち上がらず、係合孔５３３ａとロック突起８３との不用意な係合解除を防止できる。
【００５７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５８】
例えば、ロックアームを有する第１コネクタハウジングの材質は、ＰＢＴ−ＧＦ１５に限らない。耐加水分解性を有する他の樹脂材料を採用することもできる。また、リテーナや第２コネクタハウジングも、第１コネクタハウジングと同一の樹脂材料で形成するようにしても良い。
【００５９】
但し、耐加水分解性を高めた樹脂材量は、耐加水分解性が劣る通常の樹脂材料よりも高額になるため、コネクタハウジング相互の接続や離脱の際に撓み変形する部位の無い第２コネクタハウジングは、第１コネクタハウジングよりも安価な樹脂材量で形成することで、コストの低減を図ることができる。
【００６０】
ここで、上述した本発明に係るコネクタの実施形態の特徴をそれぞれ以下［１］〜［３］に簡潔に纏めて列記する。
【００６１】
［１］  接続相手のコネクタハウジング（８）の筒状部（８２）の外周に嵌合する略筒状のフード部（５２）と、端子金具を収容する端子収容部（５１）と、自由端側が前記筒状部（８２）の表面と直交する方向に撓み変位可能に前記端子収容部（５１）に一体に形成されたロックアーム（５３）と、を有する第１コネクタハウジング（５）と、
前記筒状部（８２）と、前記筒状部（８２）の外表面に突設されて前記筒状部（８２）と前記端子収容部（５１）との嵌合長が所定値に達したときに前記ロックアーム（５３）と係合するロック突起（８３）と、を有する第２コネクタハウジング（８）と、
を備えるコネクタ（４）であって、
前記第１コネクタハウジング（５）は、耐加水分解性材料で形成されたことを特徴とするコネクタ（４）。
【００６２】
［２］  前記端子収容部（５１）から立ち上がる前記ロックアーム（５３）の基端部（５３１）を、曲げ荷重が集中し難い滑らかな湾曲形状にしたことを特徴とする上記［１］に記載のコネクタ（４）。
【００６３】
［３］  前記ロックアーム（５３）は、前記基端部（５３１）の先端からコネクタハウジング相互の嵌合方向（Ｘ２）に延出した平板状の板ばね部（５３２）と、前記ロック突起（８３）が係合する係合孔（５３３ａ）を有して前記板ばね部（５３２）の先端に装備された突起係合部（５３３）と、を備え、
前記突起係合部（５３３）は、前記板ばね部（５３２）よりも肉厚に形成されたことを特徴とする上記［２］に記載のコネクタ（４）。
【符号の説明】
【００６４】
４  コネクタ
５  第１コネクタハウジング
６  パッキン
７  リテーナ
８  第２コネクタハウジング
５１  端子収容部
５２  フード部
５３  ロックアーム
５４  隙間
７１  ハウジング係止アーム
８１  端子配列空間
８２  筒状部
８３  ロック突起
５３１  基端部
５３２  板ばね部
５３３  突起係合部
５３３ａ  係合孔５
５２４  リテーナ挿入口
【図１】
2015195126.tif 000003
【図２】
2015195126.tif 000004
【図３】
2015195126.tif 000005
【図４】
2015195126.tif 000006
【図５】
2015195126.tif 000007
【図６】
2015195126.tif 000008
【図７】
2015195126.tif 000009
【図８】
2015195126.tif 000010
【図９】
2015195126.tif 000011